(57)【要約】      （修正有）【課題】本発明は、芯上下動型タンク式灯油ストーブで使用される燃焼用灯芯に係り、点火、燃焼、消火時における芯房、すなわち灯芯の下半部の灯油吸上げ部の上下動時の生地変形を防げる灯油ストーブの灯芯に関し、灯芯の吸上げ部に形成される縦状長孔部の形状を垂直長孔形状から傾斜長孔形状に変更して、緊急消火を含めた消火時に吸上げ部は全て芯案内筒に沿って一定方向に整然と倒れこむ状態で収納され、再点火時の吸上げ部の灯芯生地の捲れ上がりや、提灯形状の発生を防止し、安定した継続燃焼及び燃焼時間延長を可能とする。【解決手段】灯芯１３の吸上げ部に形成する複数の縦状長孔部の形状を、垂直方向より一定方向に全体を同一角度傾斜させることを特徴とする灯油ストーブの灯芯であり、また縦状長孔部１の傾斜角度を、水平方向から見た立ち上がり角度において、４０度〜８０度としたことを特徴とする灯油ストーブの灯芯である。【選択図】図２
2020118429.tif 000002
【特許請求の範囲】
【請求項１】
灯芯の吸上げ部に形成する複数の縦状長孔部の形状を、垂直方向より一定方向に全体を同一角度傾斜させることを特徴とする灯油ストーブの灯芯。
【請求項２】
縦状長孔部の傾斜角度を、水平方向から見た立ち上がり角度において、４０度〜８０度としたことを特徴とする請求項１記載の灯油ストーブの灯芯。
【発明の詳細な説明】
【技術分野】
【０００１】
本発明は、芯上下動型タンク式灯油ストーブ（以下、単に「灯油ストーブ」と称する）で使用される燃焼用灯芯（以下、単に「灯芯」と称することもある）に係り、点火、燃焼、消火時における芯房、すなわち灯芯の下半部の灯油吸上げ部（以下、単に「吸上げ部」と称することもある）の上下動時における変形を防ぐことができる灯油ストーブの灯芯に関するものである。
【背景技術】
【０００２】
図1は、例えば本発明の発明者が先に提案した灯油ストーブと同様のストーブの全体構造及び灯油タンク部分の構造の一部断面概略を示している。
図1において、灯油ストーブ本体１０の燃料タンク１１は、灯油貯蔵室１２と灯芯１３への灯油供給室１４を有しており、該灯油供給室１４の開口部内には灯油を燃焼させる燃焼用灯芯１３が配置され、その灯芯１３の下端１３ｂが灯油供給室１４内の灯油液面下に沈設する状態で設置されると共に、灯芯１３の上端部１３ａは灯油ストーブ１０の燃焼部である燃焼筒（チムニー）１５内に臨ませてある。
【０００３】
その他の灯油ストーブ１０全体の一般的な構造については、炎安定化と赤熱して遠赤外線を放射するための金網、灯芯の上下調整ツマミ１６，燃焼部の開閉ツマミ１７が設けられている。
【０００４】
図２は、本発明にかかる灯芯１３の図面であり、図３は従来の灯芯の図面である。
それぞれ、（ａ）は灯芯の展開図、（ｂ）は灯芯を筒状に組み立てて灯芯を下動させた状態を示しており、図２における本発明の灯芯は、吸上げ部が整然と折り曲げられている状態であり、図３における従来の灯芯は、吸上げ部が一部絡み合ったりして雑然と折り曲げられている状態を示している。
【先行技術文献】
【特許文献】
【０００５】
【特許文献１】特開２００２―１９５５１２号公報
【特許文献２】特開２００６―２８４１３８号公報
【発明の開示】
【発明が解決しようとする課題】
【０００６】
一般的に、灯芯１３は灯油をその下端方向から吸い込んで上端方向に供給し、上記した燃焼箇所で燃焼するものであり、灯芯の上半部個所はガラス繊維を含む素材などが採用され、その下半部個所の吸上げ部は灯芯の縦寸法を縮ませる際（消火時）に都合がよくなる化学繊維製フェルトなどが採用され、その下半部個所の吸上げ部には垂直方向に延びる縦状長孔部１が複数形成されている。
この縦状長孔部１が所定間隔で複数形成されているため、消火時に灯芯１３を下動させると、灯芯の吸上げ部が簡単に折り曲げられて縦方向に縮むことができ、灯芯の縦方向の長さ寸法を縮めて瞬時の消化に対応できるようになっている。
【０００７】
灯芯１３の吸上げ部は灯油供給室１４内に沈設する状態で収納され、灯油貯蔵室１２からの灯油循環供給により継続燃焼が行われている。該灯油貯蔵室１２と灯油供給室１４は隔壁にて分離されており、灯油の供給は給油管を通じて行われている。
灯芯１の吸上げ部は炎の上下動を誘導する芯案内筒と灯油供給室隔壁との狭小空間内に収められており、例えば緊急消火を含めた消火時には、吸上げ部は灯油供給室底辺に垂直乃至斜め垂直方向に非方向性で折り重なる状態で収納されることとなる。一方、再点火時に灯芯１３は上下調整ツマミ１６により上方に持ち上げられ、吸上げ部が元の垂直状態に復元されなければ、その下端は油面より上に出てしまい、燃焼継続が困難（立ち消え）となることがあった。
【０００８】
ここで、従来の灯芯は、消火時における吸上げ部は灯油供給室底辺に垂直乃至斜め垂直方向に非方向性で折り重なる状態で収納されるため、灯芯の収納状態が長時間に及んだ場合などには特に生地曲がりが生じ（生地に曲がり癖がついて、元の状態に戻りにくい状態）、これにより吸上げ部の外周面側への膨らみ（提灯形状）が発生し、吸上げ部の縦方向の長さ寸法が短くなって、灯油供給室内の灯油を全て吸い上げられず、燃焼時間が短くなるという問題点が起きていた。
【０００９】
本発明は、上記の問題点を解消し、例えば芯上下動型灯油ストーブにおいて、灯芯の吸上げ部に形成される縦状長孔部の形状を現行の垂直長孔形状から傾斜長孔形状に変更することにより、緊急消火を含めた消火時に吸上げ部は全て芯案内筒に沿って一定方向に整然と倒れる状態で収納されることとなる。これにより、生地曲がりを防いで、再点火時の吸上げ部の捲れ上がりや、提灯形状の発生が防止され、安定した継続燃焼及び燃焼時間延長が可能となった。
【課題を解決するための手段】
【００１０】
上記目的を達成するために、請求項１記載の発明は、灯芯の吸上げ部に形成する複数の縦状長孔部の形状を、垂直方向より一定方向に全体を同一角度傾斜させることを特徴とする灯油ストーブの灯芯である。
【００１１】
請求項２は、縦状長孔部の傾斜角度を、水平方向から見た立ち上がり角度において、４０度〜８０度としたことを特徴とする請求項１記載の灯油ストーブの灯芯である。
【発明の効果】
【００１２】
上記した請求項１に係る灯芯は、灯芯の下動時には複数の長孔形成部において、従来のように垂直方向乃至斜め垂直方向に非方向性で折り重なる状態となることがなく、収納状態が長時間に及んだ場合などでも、生地曲がりが発生しにくく、吸上げ部の提灯形状の招来も防止できるという優れた効果を発揮する。
【００１３】
また請求項２に係る灯芯は、縦状長孔部の傾斜角を、水平方向から見た立ち上がり角度において、４０度〜８０度としたことにより、より優れた上記の効果を達成できることとなる。
【図面の簡単な説明】
【００１４】
【図１】灯油ストーブの一部を断面とした正面図である。
【図２】本発明にかかる灯芯の図面で、（ａ）は展開状態を示す正面図、（ｂ）は筒状に組み立てて、灯芯を下動させた状態の正面図である。
【図３】従来の灯芯の図面で、（ａ）は展開状態を示す正面図、（ｂ）は筒状に組み立てて、灯芯を下動させた状態の正面図である。
【発明を実施するための形態】
【００１５】
以下添付図面に基づいて、本発明に係る灯油ストーブの灯芯の一実施の形態を詳説する。
まず図１に示すように、本発明の灯芯１３は、その吸上げ部に複数の縦状長孔部１の形状を、垂直方向より一定方向に全体を同一角度傾斜させた形状としている。
【００１６】
この傾斜角度は自由に決めることができるが、発明者の実験によれば、該吸上げ部の縦状長孔部１を形成し、その縦状長孔部１の傾斜角度は芯上下動型ストーブの芯上下ストローク及び回転移動幅にもよるが、水平方向から見た立ち上がり角度において、４０度〜８０度の間に設定することが好ましく、この範囲の傾斜角を付与することで所望の効果が達成できることが確認されている。
【００１７】
この傾斜角度を持った複数の縦状長孔部1を形成した灯芯１３は、消火時において灯芯1３を下動させることで、その吸上げ部を灯油供給室１４内に縮めるように収納される。その際吸上げ部の縦状長孔部１が方向性を有する傾斜角度を付与されているため、灯芯１３の吸上げ部の折り曲げ状態は図２（ｂ）に示すように、正面視「く」の字状、または逆「く」の字状に揃って倒れこみ、灯芯繊維の混乱した絡み合いが起こらずに、整然と折り曲げられるようになる。
【００１８】
このように傾斜角度を持った縦状長孔部1を形成した灯芯１３は、各縦状長孔部で区切られた吸上げ部の生地部分が、隣り合う生地部分と重なり合うことがなく、整然と同一方向を指向した正面視「く」の字状、または逆「く」の字状を呈する状態で揃って倒れこむ。
この方向性を揃えた吸上げ部の生地部分は、灯芯１３を縦方向に伸ばす状態に戻す際には、消火時における生地の曲がり癖がつきにくく、ましてや生地部分の絡み合いも起こらないこととなる。
【００１９】
図２（ｂ）に示す、各縦状長孔部１で区切られた吸上げ部の生地部分の倒れこみ方向は、いずれかの方向に傾くイメージとして表現したものであり、右傾斜となる場合も左傾斜となる場合もあり、いずれかの方向に倒れこんだ場合には、各縦状長孔部１で区切られた吸上げ部の生地部分は、正面視「く」の字状、または逆「く」の字状に揃って倒れ込むこととなる。
本発明における、縦状長孔部１の傾斜方向は、正面図において右側方向に傾斜するものであっても、あるいは左側方向に傾斜するものであってもよい。
【００２０】
従来の縦状長孔１の場合には、この傾斜角度を付与しないため、吸上げ部の折り曲げ状態は図３（ｂ）に示すように、各縦状長孔部１で区切られた吸上げ部の生地部分が、方向性を持たずに混乱して絡み合いが起こり、本発明のように整然と折り曲げられることが困難となる。
吸上げ部の折り曲げ状態が短時間である場合には、灯芯生地が本来有する素材の強度により、元の状態に自然復帰することが可能ではあるが、吸上げ部の折り曲げ状態が長時間に及ぶ場合（例えば、ストーブを数か月間不使用にするような場合）には、灯芯生地に曲がり癖がついて次の再点火時には重大な問題となって表れる。
【００２１】
本発明の灯芯１には、灯芯１３の収納時の生地の曲がり癖や生地の絡み合いがなく、灯芯１３の提灯状態を招来する事態も防止できるため、再点火時に灯芯１３の形状が容易に収納前の原状に復帰できることとなり、灯油ストーブの再使用時の安全性確保が万全となる。
【産業上の利用可能性】
【００２２】
本発明は、灯油ストーブの灯芯を使用したり製造したりする産業において利用される。
【符号の説明】
【００２３】
１…縦状長孔部
１０…灯油ストーブ
１１…燃料タンク
１２…灯油貯蔵室
１３…灯芯
１３ａ…灯芯の上端
１３ｂ…灯芯の下端
１４…灯油供給室
１５…燃焼室（チムニー）
１６…上下調整ツマミ
１７…開閉ツマミ
【図１】
2020118429.tif 000003
【図２】
2020118429.tif 000004
【図３】
2020118429.tif 000005